【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
基地局（ＢＳ）によるワイヤレス通信のための方法であって、
第２のタイプのユーザ機器（ＵＥ）と通信するために使用される第２の周波数帯域よりも狭い第１の周波数帯域上で前記ＢＳと通信する１つまたは複数の第１のタイプのＵＥにアップリンクリソースを割り振ることと、ここで、前記アップリンクリソースは、前記第２のタイプのＵＥに割り振られたアップリンクリソースに対して増加されたシンボル持続時間をもつ狭帯域サブフレーム構造において割り振られ、
前記割り振られたリソース上で前記第１のタイプのＵＥからアップリンク送信を受信することと、
を備え、
前記狭帯域サブフレーム構造におけるシンボルは、前記第２のタイプのＵＥと通信するために使用される複数のサブフレーム構造のセットの境界と整合され、前記狭帯域サブフレーム構造は、前記狭帯域サブフレーム構造の境界を、前記第２のタイプのＵＥと通信するために使用される前記複数のサブフレーム構造の境界と整合させるためのガード期間をさらに備える、方法。
【請求項２】
前記増加されたシンボル持続時間は、前記第２のタイプのＵＥに割り振られたシンボル持続時間の４倍の持続時間であるシンボル持続時間を備える、請求項１に記載の方法。
【請求項３】
前記第１の周波数帯域と前記第２の周波数帯域とは重複しない、請求項１に記載の方法。
【請求項４】
前記第１の周波数帯域は前記第２の周波数帯域のガードバンド部分と少なくとも部分的に重複する、請求項１に記載の方法。
【請求項５】
第１のタイプのユーザ機器（ＵＥ）によるワイヤレス通信のための方法であって、
第２のタイプのＵＥと通信するために使用される第２の周波数帯域よりも狭い第１の周波数帯域上で基地局（ＢＳ）と通信するためのアップリンクリソースの割振りを受信することと、ここで、前記アップリンクリソースは、前記第２のタイプのＵＥに割り振られたアップリンクリソースに対して増加されたシンボル持続時間をもつ狭帯域サブフレーム構造において割り振られ、
前記割り振られたリソースを使用してアップリンク送信を実行することと、
を備え、
前記狭帯域サブフレーム構造におけるシンボルは、前記第２のタイプのＵＥと通信するために使用される複数のサブフレーム構造のセットの境界と整合され、前記狭帯域サブフレーム構造は、前記狭帯域サブフレーム構造の境界を、前記第２のタイプのＵＥと通信するために使用される前記複数のサブフレーム構造の境界と整合させるためのガード期間をさらに備える、方法。
【請求項６】
前記増加されたシンボル持続時間は、前記第２のタイプのＵＥに割り振られたシンボル持続時間の４倍の持続時間であるシンボル持続時間を備える、請求項５に記載の方法。
【請求項７】
前記第１の周波数帯域と前記第２の周波数帯域とは重複しない、請求項５に記載の方法。
【請求項８】
前記第１の周波数帯域は前記第２の周波数帯域のガードバンド部分と少なくとも部分的に重複する、請求項５に記載の方法。
【請求項９】
基地局（ＢＳ）によるワイヤレス通信のための装置であって、
第２のタイプのユーザ機器（ＵＥ）と通信するために使用される第２の周波数帯域よりも狭い第１の周波数帯域上で前記ＢＳと通信する１つまたは複数の第１のタイプのＵＥにアップリンクリソースを割り振るための手段と、ここで、前記アップリンクリソースは、前記第２のタイプのＵＥに割り振られたアップリンクリソースに対して増加されたシンボル持続時間をもつ狭帯域サブフレーム構造において割り振られ、
前記割り振られたリソース上で前記第１のタイプのＵＥからアップリンク送信を受信するための手段と、
を備え、
前記狭帯域サブフレーム構造におけるシンボルは、前記第２のタイプのＵＥと通信するために使用される複数のサブフレーム構造のセットの境界と整合され、前記狭帯域サブフレーム構造は、前記狭帯域サブフレーム構造の境界を、前記第２のタイプのＵＥと通信するために使用される前記複数のサブフレーム構造の境界と整合させるためのガード期間をさらに備える、装置。
【請求項１０】
前記増加されたシンボル持続時間は、前記第２のタイプのＵＥに割り振られたシンボル持続時間の４倍の持続時間であるシンボル持続時間を備える、請求項９に記載の装置。
【請求項１１】
前記第１の周波数帯域と前記第２の周波数帯域とは重複しない、請求項９に記載の装置。
【請求項１２】
前記第１の周波数帯域は前記第２の周波数帯域のガードバンド部分と少なくとも部分的に重複する、請求項９に記載の装置。
【請求項１３】
ユーザ機器（ＵＥ）によるワイヤレス通信のための装置であって、
基地局（ＢＳ）から、前記ＢＳと通信するために第２のタイプのＵＥによって使用される第２の周波数帯域よりも狭い第１の周波数帯域上で前記基地局との通信のためのアップリンクリソースの割振りを受信するための手段と、ここで、前記アップリンクリソースは、前記第２のタイプのＵＥに割り振られたアップリンクリソースと比較して増加されたシンボル持続時間をもつ狭帯域サブフレーム構造において割り振られ、前記狭帯域サブフレーム構造におけるシンボルは、前記第２のタイプのＵＥと通信するために使用される複数のサブフレーム構造のセットの境界と整合され、
前記割り振られたリソースを使用してアップリンク送信を実行するための手段と、
を備え、
前記狭帯域サブフレーム構造におけるシンボルは、前記第２のタイプのＵＥと通信するために使用される複数のサブフレーム構造のセットの境界と整合され、前記狭帯域サブフレーム構造は、前記狭帯域サブフレーム構造の境界を、前記第２のタイプのＵＥと通信するために使用される前記複数のサブフレーム構造の境界と整合させるためのガード期間をさらに備える、装置。
【請求項１４】
前記増加されたシンボル持続時間は、前記第２のタイプのＵＥに割り振られたシンボル持続時間の４倍の持続時間であるシンボル持続時間を備える、請求項１３に記載の装置。
【請求項１５】
ワイヤレス通信デバイスのプロセッサによって実行されたとき、前記ワイヤレス通信デバイスに、請求項１〜請求項８のうちのいずれか一項に記載の方法を実行させる命令を備える、コンピュータ可読媒体。
【手続補正２】
【補正対象書類名】明細書
【補正対象項目名】０１５０
【補正方法】変更
【補正の内容】
【０１５０】
[00172]本開示についての以上の説明は、いかなる当業者も本開示を作成または使用することができるように与えたものである。本開示への様々な変更は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
以下に本願の出願当初の特許請求の範囲に記載された発明を付記する。
[Ｃ１]  基地局（ＢＳ）によるワイヤレス通信のための方法であって、
第２のタイプのユーザ機器（ＵＥ）と通信するために使用される第２の周波数帯域よりも狭い第１の周波数帯域上で前記ＢＳと通信する１つまたは複数の第１のタイプのＵＥにアップリンクリソースを割り振ることと、ここで、前記アップリンクリソースは、前記第２のタイプのＵＥに割り振られたアップリンクリソースに対して増加されたシンボル持続時間をもつ狭帯域サブフレーム構造において割り振られ、前記狭帯域サブフレーム構造におけるシンボルは、前記第２のタイプのＵＥと通信するために使用される複数のサブフレーム構造のセットの境界と整合され、
前記割り振られたリソース上で前記第１のタイプのＵＥからアップリンク送信を受信することと、
を備える、方法。
[Ｃ２]  前記増加されたシンボル持続時間は、前記第２のタイプのＵＥに割り振られたシンボル持続時間の４倍の持続時間であるシンボル持続時間を備える、Ｃ１に記載の方法。
[Ｃ３]  前記狭帯域サブフレーム構造は、前記狭帯域サブフレーム構造の境界を、前記第２のタイプのＵＥと通信するために使用される前記サブフレーム構造の前記複数の境界と整合させるためのガード期間をさらに備える、Ｃ１に記載の方法。
[Ｃ４]  前記第１の周波数帯域と前記第２の周波数帯域とは重複しない、Ｃ１に記載の方法。
[Ｃ５]  前記第１の周波数帯域は前記第２の周波数帯域のガードバンド部分と少なくとも部分的に重複する、Ｃ１に記載の方法。
[Ｃ６]  第１のタイプのユーザ機器（ＵＥ）によるワイヤレス通信のための方法であって、
第２のタイプのＵＥと通信するために使用される第２の周波数帯域よりも狭い第１の周波数帯域上でＢＳと通信するためのアップリンクリソースの割振りを受信することと、ここで、前記アップリンクリソースは、前記第２のタイプのＵＥに割り振られたアップリンクリソースに対して増加されたシンボル持続時間をもつ狭帯域サブフレーム構造において割り振られ、前記狭帯域サブフレーム構造におけるシンボルは、前記第２のタイプのＵＥと通信するために使用される複数のサブフレーム構造のセットの境界と整合され、
前記割り振られたリソースを使用してアップリンク送信を実行することと、
を備える、方法。
[Ｃ７]  前記増加されたシンボル持続時間は、前記第２のタイプのＵＥに割り振られたシンボル持続時間の４倍の持続時間であるシンボル持続時間を備える、Ｃ６に記載の方法。
[Ｃ８]  前記狭帯域サブフレーム構造は、前記狭帯域サブフレーム構造の境界を、前記第２のタイプのＵＥと通信するために使用される前記サブフレーム構造の前記複数の境界と整合させるためのガード期間をさらに備える、Ｃ６に記載の方法。
[Ｃ９]  前記第１の周波数帯域と前記第２の周波数帯域とは重複しない、Ｃ６に記載の方法。
[Ｃ１０]  前記第１の周波数帯域は前記第２の周波数帯域のガードバンド部分と少なくとも部分的に重複する、Ｃ６に記載の方法。
[Ｃ１１]  基地局（ＢＳ）によるワイヤレス通信のための方法であって、
第２のタイプのユーザ機器（ＵＥ）と通信するために使用される第２の周波数帯域よりも狭い第１の周波数帯域上で前記ＢＳと通信する１つまたは複数の第１のタイプのＵＥにアップリンクリソースを割り振ることと、ここで、前記アップリンクリソースは、前記第２のタイプのＵＥに割り振られたアップリンクリソースと同じシンボル持続時間および同じ時間グラニュラリティを用いて割り振られ、およびシングルサブキャリアが前記第１のタイプのＵＥに割り振られ、
前記割り振られたリソース上で前記第１のタイプのＵＥからアップリンク送信を受信することと、
を備える、方法。
[Ｃ１２]  前記第１の周波数帯域と前記第２の周波数帯域とは重複しない、Ｃ１１に記載の方法。
[Ｃ１３]  前記第１の周波数帯域は前記第２の周波数帯域のガードバンド部分と少なくとも部分的に重複する、Ｃ１１に記載の方法。
[Ｃ１４]  異なる第１のタイプのＵＥは、符号分割多重化（ＣＤＭ）を使用して、同じ割り振られたサブキャリアまたはサブキャリアのグループ中で多重化される、Ｃ１１に記載の方法。
[Ｃ１５]  異なる第１のタイプのＵＥは、異なる拡散シーケンスを使用して復調基準信号シンボル中で多重化される、Ｃ１１に記載の方法。
[Ｃ１６]  前記割り振られたリソースを使用して前記第１のタイプのＵＥまたは前記第２のタイプのＵＥによって送信されるサウンディング基準信号（ＳＲＳ）の周りでレートマッチングを実行するために、前記第１のタイプのＵＥのうちの１つまたは複数にシグナリングすることをさらに備える、Ｃ１１に記載の方法。
[Ｃ１７]  前記アップリンクリソースは、前記第２のタイプのＵＥに割り振られたアップリンクリソースと同じサブキャリア間隔を用いて割り振られる、Ｃ１１に記載の方法。
[Ｃ１８]  前記第１の周波数帯域は前記第２の周波数帯域内にあり、
前記第１のタイプのＵＥのための前記アップリンクリソースは、前記第２のタイプのＵＥに割り振られたアップリンクリソースのために使用されるサイクリックプレフィックスのタイプにかかわらず、ノーマルサイクリックプレフィックスに対して、拡張されたサイクリックプレフィックスを用いて割り振られる、
Ｃ１１に記載の方法。
[Ｃ１９]  第１のタイプのユーザ機器（ＵＥ）によるワイヤレス通信のための方法であって、
第２のタイプのＵＥと通信するために使用される第２の周波数帯域よりも狭い第１の周波数帯域上でＢＳと通信するためのアップリンクリソースの割振りを受信することと、ここで、前記アップリンクリソースは、前記第２のタイプのＵＥに割り振られたアップリンクリソースと同じシンボル持続時間および同じ時間グラニュラリティを用いて割り振られ、およびシングルサブキャリアが前記第１のタイプのＵＥに割り振られ、
前記割り振られたリソースを使用してアップリンク送信を実行することと、
を備える、方法。
[Ｃ２０]  前記第１の周波数帯域と前記第２の周波数帯域とは重複しない、Ｃ１９に記載の方法。
[Ｃ２１]  前記第１の周波数帯域は前記第２の周波数帯域のガードバンド部分と少なくとも部分的に重複する、Ｃ１９に記載の方法。
[Ｃ２２]  異なる第１のタイプのＵＥは、符号分割多重化（ＣＤＭ）を使用して、同じ割り振られたサブキャリアまたはサブキャリアのグループ中で多重化される、Ｃ１９に記載の方法。
[Ｃ２３]  異なる第１のタイプのＵＥは、異なる拡散シーケンスを使用して復調基準信号シンボル中で多重化される、Ｃ１９に記載の方法。
[Ｃ２４]  基地局から、前記第１のタイプのＵＥが、前記割り振られたリソースを使用して前記第１のタイプのＵＥまたは前記第２のタイプのＵＥによって送信されたサウンディング基準信号（ＳＲＳ）の周りでレートマッチングを実行すべきであることを示すシグナリングを受信することをさらに備える、Ｃ１９に記載の方法。
[Ｃ２５]  前記アップリンクリソースは、前記第２のタイプのＵＥに割り振られたアップリンクリソースと同じサブキャリア間隔を用いて割り振られる、Ｃ１９に記載の方法。
[Ｃ２６]  前記第１の周波数帯域は前記第２の周波数帯域内にあり、
前記第１のタイプのＵＥのための前記アップリンクリソースは、前記第２のタイプのＵＥに割り振られたアップリンクリソースのために使用されるサイクリックプレフィックスのタイプにかかわらず、ノーマルサイクリックプレフィックスに対して、拡張されたサイクリックプレフィックスを用いて割り振られる、
Ｃ１９に記載の方法。
[Ｃ２７]  基地局（ＢＳ）によるワイヤレス通信のための方法であって、
第２のタイプのユーザ機器（ＵＥ）と通信するために使用される第２の周波数帯域よりも狭い第１の周波数帯域上で前記ＢＳと通信する１つまたは複数の第１のタイプのＵＥにアップリンクリソースを割り振ることと、ここで、前記アップリンクリソースは、前記第２のタイプのＵＥに割り振られたアップリンクリソースに対して増加されたシンボル持続時間とより狭いサブキャリア間隔とをもつ狭帯域サブフレーム構造において割り振られ、前記狭帯域サブフレーム構造は、少なくとも２つのタイムスロットを備え、各タイムスロットは、前記第２のタイプのＵＥと通信するために使用されるサブフレーム構造と同じ持続時間を有し、
前記割り振られたリソース上で前記第１のタイプのＵＥからアップリンク送信を受信することと、
を備える、方法。
[Ｃ２８]  前記第１の周波数帯域と前記第２の周波数帯域とは重複しない、Ｃ２７に記載の方法。
[Ｃ２９]  前記第１の周波数帯域は前記第２の周波数帯域のガードバンド部分と少なくとも部分的に重複する、Ｃ２７に記載の方法。
[Ｃ３０]  異なる第１のタイプのＵＥは、符号分割多重化（ＣＤＭ）を使用して、同じ割り振られたサブキャリアまたはサブキャリアのグループ中で多重化される、Ｃ２７に記載の方法。
[Ｃ３１]  異なる第１のタイプのＵＥは、異なる拡散シーケンスを使用して復調基準信号シンボル中で多重化される、Ｃ２７に記載の方法。
[Ｃ３２]  第１のタイプのユーザ機器（ＵＥ）によるワイヤレス通信のための方法であって、
第２のタイプのＵＥと通信するために使用される第２の周波数帯域よりも狭い第１の周波数帯域上でＢＳと通信するためのアップリンクリソースの割振りを受信することと、ここで、前記アップリンクリソースは、前記第２のタイプのＵＥに割り振られたアップリンクリソースに対して増加されたシンボル持続時間とより狭いサブキャリア間隔とをもつ狭帯域サブフレーム構造において割り振られ、前記狭帯域サブフレーム構造は、少なくとも２つのタイムスロットを備え、各タイムスロットは、前記第２のタイプのＵＥと通信するために使用されるサブフレーム構造と同じ持続時間を有し、
前記割り振られたリソースを使用してアップリンク送信を実行することと、
を備える、方法。
[Ｃ３３]  前記第１の周波数帯域と前記第２の周波数帯域とは重複しない、Ｃ３２に記載の方法。
[Ｃ３４]  前記第１の周波数帯域は前記第２の周波数帯域のガードバンド部分と少なくとも部分的に重複する、Ｃ３２に記載の方法。
[Ｃ３５]  異なる第１のタイプのＵＥは、符号分割多重化（ＣＤＭ）を使用して、同じ割り振られたサブキャリアまたはサブキャリアのグループ中で多重化される、Ｃ３２に記載の方法。
[Ｃ３６]  異なる第１のタイプのＵＥは、異なる拡散シーケンスを使用して復調基準信号シンボル中で多重化される、Ｃ３２に記載の方法。
[Ｃ３７]  基地局（ＢＳ）によるワイヤレス通信のための方法であって、
第２のタイプのユーザ機器（ＵＥ）と通信するために使用される第２の周波数帯域よりも狭い第１の周波数帯域上で前記ＢＳと通信する１つまたは複数の第１のタイプのＵＥにアップリンクリソースを割り振ることと、ここで、前記アップリンクリソースは、前記第２のタイプのＵＥに割り振られたアップリンクリソースに対して増加されたシンボル持続時間をもつ狭帯域サブフレーム構造において割り振られ、前記狭帯域サブフレーム構造は、少なくとも２つのシンボルを備え、前記第２のタイプのＵＥと通信するために使用されるサブフレーム構造と同じ持続時間を有し、
前記割り振られたリソース上で前記第１のタイプのＵＥからアップリンク送信を受信することと、
を備える、方法。
[Ｃ３８]  前記第１の周波数帯域と前記第２の周波数帯域とは重複しない、Ｃ３７に記載の方法。
[Ｃ３９]  前記第１の周波数帯域は前記第２の周波数帯域のガードバンド部分と少なくとも部分的に重複する、Ｃ３７に記載の方法。
[Ｃ４０]  前記狭帯域サブフレーム構造は、スロットごとに１つのシンボルをもつ２つのタイムスロットを備える、Ｃ３７に記載の方法。
[Ｃ４１]  前記狭帯域サブフレーム構造は、サブフレームごとの少なくとも２つのシンボルと、前記狭帯域サブフレーム構造の境界を、前記第２のタイプのＵＥと通信するために使用される前記サブフレーム構造の境界と整合させるためのガード期間と、を備える、Ｃ３７に記載の方法。
[Ｃ４２]  前記狭帯域サブフレーム構造は、前記第２のタイプのＵＥがサウンディング基準信号（ＳＲＳ）を送信し得る領域中でガード期間を備える、Ｃ３７に記載の方法。
[Ｃ４３]  第１のタイプのユーザ機器（ＵＥ）によるワイヤレス通信のための方法であって、
第２のタイプのＵＥと通信するために使用される第２の周波数帯域よりも狭い第１の周波数帯域上でＢＳと通信するためのアップリンクリソースの割振りを受信することと、ここで、前記アップリンクリソースは、前記第２のタイプのＵＥに割り振られたアップリンクリソースに対して増加されたシンボル持続時間をもつ狭帯域サブフレーム構造において割り振られ、前記狭帯域サブフレーム構造は、少なくとも２つのシンボルを備え、前記第２のタイプのＵＥと通信するために使用されるサブフレーム構造と同じ持続時間を有し、  前記割り振られたリソースを使用してアップリンク送信を実行することと、
を備える、方法。
[Ｃ４４]  前記第１の周波数帯域と前記第２の周波数帯域とは重複しない、Ｃ４３に記載の方法。
[Ｃ４５]  前記第１の周波数帯域は前記第２の周波数帯域のガードバンド部分と少なくとも部分的に重複する、Ｃ４３に記載の方法。
[Ｃ４６]  前記狭帯域サブフレーム構造は、スロットごとに１つのシンボルをもつ２つのタイムスロットを備える、Ｃ４３に記載の方法。
[Ｃ４７]  前記狭帯域サブフレーム構造は、サブフレームごとの少なくとも２つのシンボルと、前記狭帯域サブフレーム構造の境界を、前記第２のタイプのＵＥと通信するために使用される前記サブフレーム構造の境界と整合させるためのガード期間と、を備える、Ｃ４３に記載の方法。
[Ｃ４８]  前記狭帯域サブフレーム構造は、前記第２のタイプのＵＥがサウンディング基準信号（ＳＲＳ）を送信し得る領域中でガード期間を備える、Ｃ４３に記載の方法。
[Ｃ４９]  基地局（ＢＳ）によるワイヤレス通信のための方法であって、
第２のタイプのユーザ機器（ＵＥ）と通信するために使用される第２の周波数帯域よりも狭い第１の周波数帯域上で前記ＢＳと通信する１つまたは複数の第１のタイプのＵＥにアップリンクリソースを割り振ることと、ここで、前記アップリンクリソースは、少なくとも部分的に、前記第２の周波数帯域を使用する前記ＢＳと前記第２のタイプのＵＥとの間の通信の特性に関して決定される、シンボル持続時間を有する狭帯域サブフレーム構造において割り振られ、
前記割り振られたリソース上で前記第１のタイプのＵＥからアップリンク送信を受信することと、
を備える、方法。
[Ｃ５０]  前記第１の周波数帯域と前記第２の周波数帯域とは重複しない、Ｃ４９に記載の方法。
[Ｃ５１]  前記第１の周波数帯域は前記第２の周波数帯域のガードバンド部分と少なくとも部分的に重複する、Ｃ４９に記載の方法。
[Ｃ５２]  前記特性は、前記第２の周波数帯域を使用する前記ＢＳと前記第２のタイプのＵＥとの間の通信のために、時分割複信（ＴＤＤ）が使用されるのか、周波数分割複信（ＦＤＤ）が使用されるのかを備える、Ｃ４９に記載の方法。
[Ｃ５３]  前記特性は、前記第２の周波数帯域を使用する前記ＢＳと前記第２のタイプのＵＥとの間の通信のために、ノーマルサイクリックプレフィックス（ＣＰ）が使用されるのか、拡張サイクリックプレフィックスが使用されるのかを備える、Ｃ４９に記載の方法。
[Ｃ５４]  前記特性は、前記第１の周波数帯域が前記第２の周波数帯域内に位置するかどうかを備える、Ｃ４９に記載の方法。
[Ｃ５５]  前記特性は、サウンディング基準信号（ＳＲＳ）が所与のサブフレーム中に存在するかどうかを備える、Ｃ４９に記載の方法。
[Ｃ５６]  前記狭帯域サブフレーム構造は、ＳＲＳが前記所与のサブフレーム中に存在しない場合、スロットごとに１つのシンボルをもつ２つのタイムスロットを備える、Ｃ５５に記載の方法。
[Ｃ５７]  前記狭帯域サブフレーム構造は、ＳＲＳが前記所与のサブフレーム中に存在する場合、サブフレームごとの少なくとも２つのシンボルと、前記狭帯域サブフレーム構造の境界を、前記第２のタイプのＵＥと通信するために使用される前記サブフレーム構造の境界と整合させるためのガード期間と、を備える、
Ｃ５５に記載の方法。
[Ｃ５８]  前記特性は、前記第２の周波数帯域を使用する前記ＢＳと前記第２のタイプのＵＥとの間の通信のために使用される時分割複信（ＴＤＤ）構成を備える、Ｃ４９に記載の方法。
[Ｃ５９]  前記狭帯域サブフレーム構造における第１のスロットのために第１のシンボル持続時間が選択され、前記狭帯域サブフレーム構造における第２のスロットのために第２のシンボル持続時間が選択される、Ｃ５８に記載の方法。
[Ｃ６０]  前記第１のシンボル持続時間と前記第２のシンボル持続時間とは、前記ＴＤＤ構成におけるアップリンクサブフレームの数に基づいて選択される、Ｃ５９に記載の方法。
[Ｃ６１]  第１のタイプのユーザ機器（ＵＥ）によるワイヤレス通信のための方法であって、
第２のタイプのＵＥと通信するために使用される第２の周波数帯域よりも狭い第１の周波数帯域上でＢＳと通信するためのアップリンクリソースの割振りを受信することと、ここで、前記アップリンクリソースは、少なくとも部分的に、前記第２の周波数帯域を使用する前記ＢＳと前記第２のタイプのＵＥとの間の通信の特性に関して決定される、シンボル持続時間を有する狭帯域サブフレーム構造において割り振られ、
前記割り振られたリソースを使用してアップリンク送信を実行することと、
を備える、方法。
[Ｃ６２]  前記第１の周波数帯域と前記第２の周波数帯域とは重複しない、Ｃ６１に記載の方法。
[Ｃ６３]  前記第１の周波数帯域は前記第２の周波数帯域のガードバンド部分と少なくとも部分的に重複する、Ｃ６１に記載の方法。
[Ｃ６４]  前記特性は、前記第２の周波数帯域を使用する前記ＢＳと前記第２のタイプのＵＥとの間の通信のために、時分割複信（ＴＤＤ）が使用されるのか、周波数分割複信（ＦＤＤ）が使用されるのかを備える、Ｃ６１に記載の方法。
[Ｃ６５]  前記特性は、前記第２の周波数帯域を使用する前記ＢＳと前記第２のタイプのＵＥとの間の通信のために、ノーマルサイクリックプレフィックス（ＣＰ）が使用されるのか、拡張サイクリックプレフィックスが使用されるのかを備える、Ｃ６１に記載の方法。
[Ｃ６６]  前記特性は、前記第１の周波数帯域が前記第２の周波数帯域内に位置するかどうかを備える、Ｃ６１に記載の方法。
[Ｃ６７]  前記特性は、サウンディング基準信号（ＳＲＳ）が所与のサブフレーム中に存在するかどうかを備える、Ｃ６１に記載の方法。
[Ｃ６８]  前記狭帯域サブフレーム構造は、ＳＲＳが前記所与のサブフレーム中に存在しない場合、スロットごとに１つのシンボルをもつ２つのタイムスロットを備える、Ｃ６７に記載の方法。
[Ｃ６９]  前記狭帯域サブフレーム構造は、ＳＲＳが前記所与のサブフレーム中に存在する場合、サブフレームごとの少なくとも２つのシンボルと、前記狭帯域サブフレーム構造の境界を、前記第２のタイプのＵＥと通信するために使用される前記サブフレーム構造の境界と整合させるためのガード期間と、を備える、
Ｃ６７に記載の方法。
[Ｃ７０]  前記特性が、前記第２の周波数帯域を使用する前記ＢＳと前記第２のタイプのＵＥとの間の通信のために使用される時分割複信（ＴＤＤ）構成を備える、Ｃ６１に記載の方法。
[Ｃ７１]  前記狭帯域サブフレーム構造における第１のスロットのために第１のシンボル持続時間が選択され、前記狭帯域サブフレーム構造における第２のスロットのために第２のシンボル持続時間が選択される、Ｃ７０に記載の方法。
[Ｃ７２]  前記第１のシンボル持続時間と前記第２のシンボル持続時間とは、前記ＴＤＤ構成におけるアップリンクサブフレームの数に基づいて選択される、Ｃ７１に記載の方法。
[Ｃ７３]  基地局（ＢＳ）によるワイヤレス通信のための装置であって、
少なくとも１つのプロセッサと、前記少なくとも１つのプロセッサは、
第２のタイプのユーザ機器（ＵＥ）と通信するために使用される第２の周波数帯域よりも狭い第１の周波数帯域上で前記ＢＳと通信する１つまたは複数の第１のタイプのＵＥにアップリンクリソースを割り振ることと、ここで、前記アップリンクリソースは、前記第２のタイプのＵＥに割り振られたアップリンクリソースに対して増加されたシンボル持続時間をもつ狭帯域サブフレーム構造において割り振られ、前記狭帯域サブフレーム構造におけるシンボルは、前記第２のタイプのＵＥと通信するために使用される複数のサブフレーム構造のセットの境界と整合され、
前記割り振られたリソース上で前記第１のタイプのＵＥからアップリンク送信を受信することと、
を行うように構成され、
前記少なくとも１つのプロセッサと結合されたメモリと、
を備える、装置。
[Ｃ７４]  ユーザ機器（ＵＥ）によるワイヤレス通信のための装置であって、
少なくとも１つのプロセッサと、前記少なくとも１つのプロセッサは、
基地局（ＢＳ）から、前記基地局と通信するために第２のタイプのＵＥによって使用される第２の周波数帯域よりも狭い第１の周波数帯域上で前記基地局との通信のためのアップリンクリソースの割振りを受信することと、ここで、前記アップリンクリソースは、少なくとも部分的に、前記第２の周波数帯域を使用する前記ＢＳと前記第２のタイプのＵＥとの間の通信の特性に関して決定される、シンボル持続時間を有する狭帯域サブフレーム構造において割り振られ、
前記割り振られたリソース上でアップリンク送信を実行することと、
を行うように構成され、
前記少なくとも１つのプロセッサと結合されたメモリと、
を備える、装置。
[Ｃ７５]  基地局（ＢＳ）によるワイヤレス通信のための装置であって、
少なくとも１つのプロセッサと、前記少なくとも１つのプロセッサは、
第２のタイプのユーザ機器（ＵＥ）と通信するために使用される第２の周波数帯域よりも狭い第１の周波数帯域上で前記ＢＳと通信する１つまたは複数の第１のタイプのＵＥにアップリンクリソースを割り振ることと、ここで、前記アップリンクリソースは、前記第２のタイプのＵＥに割り振られたアップリンクリソースと同じシンボル持続時間および同じ時間グラニュラリティを用いて割り振られ、およびシングルサブキャリアが前記第１のタイプのＵＥに割り振られ、
前記割り振られたリソース上で前記第１のタイプのＵＥからアップリンク送信を受信することと、
を行うように構成され、
前記少なくとも１つのプロセッサと結合されたメモリと、
を備える、装置。
[Ｃ７６]  ユーザ機器（ＵＥ）によるワイヤレス通信のための装置であって、
少なくとも１つのプロセッサと、前記少なくとも１つのプロセッサは、
第２のタイプのＵＥと通信するために使用される第２の周波数帯域よりも狭い第１の周波数帯域上でＢＳと通信するためのアップリンクリソースの割振りを受信することと、ここで、前記アップリンクリソースは、前記第２のタイプのＵＥに割り振られたアップリンクリソースと同じシンボル持続時間および同じ時間グラニュラリティを用いて割り振られ、およびシングルサブキャリアが前記第１のタイプのＵＥに割り振られ、
前記割り振られたリソースを使用してアップリンク送信を実行することと、
を行うように構成され、
前記少なくとも１つのプロセッサと結合されたメモリと、
を備える、装置。
[Ｃ７７]  基地局（ＢＳ）によるワイヤレス通信のための装置であって、
少なくとも１つのプロセッサと、前記少なくとも１つのプロセッサは、
第２のタイプのユーザ機器（ＵＥ）と通信するために使用される第２の周波数帯域よりも狭い第１の周波数帯域上で前記ＢＳと通信する１つまたは複数の第１のタイプのＵＥにアップリンクリソースを割り振ることと、ここで、前記アップリンクリソースは、前記第２のタイプのＵＥに割り振られたアップリンクリソースに対して増加されたシンボル持続時間とより狭いサブキャリア間隔とをもつ狭帯域サブフレーム構造において割り振られ、前記狭帯域サブフレーム構造は、少なくとも２つのタイムスロットを備え、各タイムスロットは、前記第２のタイプのＵＥと通信するために使用されるサブフレーム構造と同じ持続時間を有し、
前記割り振られたリソース上で前記第１のタイプのＵＥからアップリンク送信を受信することと、
を行うように構成され、
前記少なくとも１つのプロセッサと結合されたメモリと、
を備える、装置。
[Ｃ７８]  ユーザ機器（ＵＥ）によるワイヤレス通信のための装置であって、
少なくとも１つのプロセッサと、前記少なくとも１つのプロセッサは、
第２のタイプのＵＥと通信するために使用される第２の周波数帯域よりも狭い第１の周波数帯域上でＢＳと通信するためのアップリンクリソースの割振りを受信することと、ここで、前記アップリンクリソースは、前記第２のタイプのＵＥに割り振られたアップリンクリソースに対して増加されたシンボル持続時間とより狭いサブキャリア間隔とをもつ狭帯域サブフレーム構造において割り振られ、前記狭帯域サブフレーム構造は、少なくとも２つのタイムスロットを備え、各タイムスロットは、前記第２のタイプのＵＥと通信するために使用されるサブフレーム構造と同じ持続時間を有し、
前記割り振られたリソースを使用してアップリンク送信を実行することと、
を行うように構成され、
前記少なくとも１つのプロセッサと結合されたメモリと、
を備える、装置。
[Ｃ７９]  基地局（ＢＳ）によるワイヤレス通信のための装置であって、
少なくとも１つのプロセッサと、前記少なくとも１つのプロセッサは、
第２のタイプのユーザ機器（ＵＥ）と通信するために使用される第２の周波数帯域よりも狭い第１の周波数帯域上で前記ＢＳと通信する１つまたは複数の第１のタイプのＵＥにアップリンクリソースを割り振ることと、ここで、前記アップリンクリソースは、前記第２のタイプのＵＥに割り振られたアップリンクリソースに対して増加されたシンボル持続時間をもつ狭帯域サブフレーム構造において割り振られ、前記狭帯域サブフレーム構造は、少なくとも２つのシンボルを備え、前記第２のタイプのＵＥと通信するために使用されるサブフレーム構造と同じ持続時間を有し、
前記割り振られたリソース上で前記第１のタイプのＵＥからアップリンク送信を受信することと、
を行うように構成され、
前記少なくとも１つのプロセッサと結合されたメモリと、
を備える、装置。
[Ｃ８０]  ユーザ機器（ＵＥ）によるワイヤレス通信のための装置であって、
少なくとも１つのプロセッサと、前記少なくとも１つのプロセッサは、
第２のタイプのＵＥと通信するために使用される第２の周波数帯域よりも狭い第１の周波数帯域上でＢＳと通信するためのアップリンクリソースの割振りを受信することと、ここで、前記アップリンクリソースは、前記第２のタイプのＵＥに割り振られたアップリンクリソースに対して増加されたシンボル持続時間をもつ狭帯域サブフレーム構造において割り振られ、前記狭帯域サブフレーム構造は、少なくとも２つのシンボルを備え、前記第２のタイプのＵＥと通信するために使用されるサブフレーム構造と同じ持続時間を有し、
前記割り振られたリソースを使用してアップリンク送信を実行することと、
を行うように構成され、
前記少なくとも１つのプロセッサと結合されたメモリと、
を備える、装置。
[Ｃ８１]  基地局（ＢＳ）によるワイヤレス通信のための装置であって、
少なくとも１つのプロセッサと、前記少なくとも１つのプロセッサは、
第２のタイプのユーザ機器（ＵＥ）と通信するために使用される第２の周波数帯域よりも狭い第１の周波数帯域上で前記ＢＳと通信する１つまたは複数の第１のタイプのＵＥにアップリンクリソースを割り振ることと、ここで、前記アップリンクリソースは、少なくとも部分的に、前記第２の周波数帯域を使用する前記ＢＳと前記第２のタイプのＵＥとの間の通信の特性に関して決定される、シンボル持続時間を有する狭帯域サブフレーム構造において割り振られ、
前記割り振られたリソース上で前記第１のタイプのＵＥからアップリンク送信を受信することと、
を行うように構成され、
前記少なくとも１つのプロセッサと結合されたメモリと、
を備える、装置。
[Ｃ８２]  ユーザ機器（ＵＥ）によるワイヤレス通信のための装置であって、
少なくとも１つのプロセッサと、前記少なくとも１つのプロセッサは、
第２のタイプのＵＥと通信するために使用される第２の周波数帯域よりも狭い第１の周波数帯域上でＢＳと通信するためのアップリンクリソースの割振りを受信することと、ここで、前記アップリンクリソースは、少なくとも部分的に、前記第２の周波数帯域を使用する前記ＢＳと前記第２のタイプのＵＥとの間の通信の特性に関して決定される、シンボル持続時間を有する狭帯域サブフレーム構造において割り振られ、
前記割り振られたリソースを使用してアップリンク送信を実行することと、
を行うように構成され、
前記少なくとも１つのプロセッサと結合されたメモリと、
を備える、装置。